(57)【要約】      （修正有）【課題】補聴器に設けられるように構成されたレシーバと、このレシーバを備える補聴器を提供する。【解決手段】レシーバは、音開口を有する第１の略平坦な側面を有するレシーバ筐体５と、耳垢フィルタなどのフィルタ１１を有するフィルタ保持体６とを有する。フィルタ保持体６は、略平坦な底面と音通路１０とを有する。音通路は、略平坦な底面に配置された第１の開口と、音通路にフィルタ保持体６のフィルタ１１を着脱可能に取り付けられる構成された第２の開口との間を伸びる。フィルタ保持体６は、フィルタ保持体の略平坦な底板がレシーバ筐体５の略平坦な側面に隣接し、かつ、音通路が第１の開口と整列するようにレシーバ筐体５に固定される。【選択図】図６
2015204619.tif 000002
【特許請求の範囲】
【請求項１】
補聴器に設けられるように構成されたレシーバであって、
音開口を有する第１の略平坦な側面を備えるレシーバ筐体と、
耳垢フィルタなどのフィルタを有するフィルタ保持体とを備え、
前記フィルタ保持体は、略平坦な底面と音通路とを有し、
前記音通路は、前記略平坦な底面に配置された第１の開口と、前記音通路に前記フィルタ保持体の前記フィルタを着脱可能に取り付けられるように構成された第２の開口との間を伸び、
前記フィルタ保持体は、前記フィルタ保持体の前記略平坦な底板が前記レシーバ筐体の前記略平坦な側面に隣接し、かつ、前記音通路が前記第１の開口と整列するように前記レシーバ筐体に固定される、レシーバ。
【請求項２】
前記略平坦な底板は、前記レシーバ筐体の前記第１の略平坦な側面に固定される、請求項１に記載のレシーバ。
【請求項３】
前記フィルタ保持体は、接着、半田付け、又は溶接によって、前記レシーバ筐体に固定される、請求項２に記載のレシーバ。
【請求項４】
前記レシーバ筐体は、前記第１の略平坦な側面と平行な任意の平面で実質的に同一となる矩形断面内で伸び、
前記フィルタ保持体は、前記レシーバ筐体と一致するとともに外部開口を規定する外面を備え、
前記レシーバ筐体の前記実質的に同一の断面の対角線の寸法は、前記フィルタ保持体の前記外部開口より小さくなっている、請求項１に記載のレシーバ。
【請求項５】
前記フィルタ保持体は、フィルタ受け口からの前記フィルタの取り外し方向を規定し、前記レシーバは、前記略平坦な側面と垂直である音出口の主方向を規定し、前記取り外し方向は、前記音出口の前記主方向に対して斜めに配置される、請求項１から４のいずれか一項に記載のレシーバ。
【請求項６】
前記取り外し方向と音の前記主方向との間の角度が、５°から４５°までの範囲内、好ましくは、１０°から３０°までの範囲にある、請求項５に記載のレシーバ。
【請求項７】
請求項１から６のいずれか一項に記載のレシーバを備えた補聴器筐体を備え、
前記補聴器筐体は、外面と、前記レシーバを収容するように適合された内部空洞とを有し、
前記補聴器筐体は、前記フィルタ保持体が着脱可能に取り付けられるフィルタ受け口を有し、
前記フィルタ保持体は、前記外面と前記レシーバ筐体との間で前記フィルタを通過して伸びる音通路を提供する、補聴器。
【請求項８】
前記フィルタ受け口と前記レシーバとは、前記フィルタが前記フィルタ受け口から取り除かれたときに、前記通路を通じた前記内部空洞への前記レシーバ筐体の挿入が可能となるように、相対的に大きさが定められる、請求項７に記載の補聴器。
【請求項９】
前記フィルタ保持体は、接着、半田付け、又は溶接によって、前記レシーバ筐体に取り外せないように固定されている、請求項７又は８に記載の補聴器。
【請求項１０】
前記フィルタ保持体は、圧入、摩擦嵌合、又は、放熱接着剤によって、前記レシーバ筐体に取り外し可能に取り付けられる、請求項７又は８に記載の補聴器。
【発明の詳細な説明】
【技術分野】
【０００１】
本発明は、補聴器に設けられるように構成されたレシーバ／ラウドスピーカであって、音開口を有する第１の略平坦な側面を有するレシーバ筐体と、耳垢フィルタなどのフィルタを有するフィルタ保持体とを備え、フィルタ保持体が略平坦な底面と音通路とを備え、音通路が、略平坦な底面に配置された第１の開口と、音通路にフィルタ保持体のフィルタを着脱可能に取り付けられるように構成された第２の開口との間を伸びるレシーバ／ラウドスピーカに関する。
【０００２】
本発明は、このようなレシーバを備える補聴器にも関する。
【背景技術】
【０００３】
前述の種類の補聴器は、多くの異なる実施態様で知られており、フィルタは、耳垢がレシーバ内に移動するのを回避するのを主たる目的とする垢防護体として主に使用されている。
【０００４】
特にＩＴＥ「挿耳型」補聴器に関して、一方では、最適な音質及び性能を備えたＩＴＥ補聴器を提供するための研究開発が続いており、他方では、使用者の耳においてできるだけ目立たない補聴器を提供するための研究開発が続いている。これにより、例えばレシーバ、フィルタとその受け口、可聴信号を提供するために使用される電子部品といった補聴器の構成部品は、より小さな空間に配置される必要があり、それと同時に、良好な音質を提供することも必要とされる。
【発明の概要】
【発明が解決しようとする課題】
【０００５】
そのため、本発明の目的は、特にレシーバ及びフィルタ受け口が補聴器において必要とする体積を低減した補聴器を提供することである。
【課題を解決するための手段】
【０００６】
この目的は、次の補聴器によって得られる。この補聴器では、冒頭で言及された補聴器であって、フィルタ保持体の略平坦な底板がレシーバ筐体の略平坦な側面に接触し、かつ、音開口が第１の開口と整列するように、フィルタ保持体がレシーバ筐体に固定される。これによると、フィルタとレシーバとの間の音通路が非常に短くされ、その結果、補聴器に必要な長さが短くなる。
【０００７】
好ましい実施形態では、略平坦な底板は、レシーバ筐体の第１の略平坦な側面に固定される。
【０００８】
さらに、フィルタ保持体は、好ましくは、接着、半田付け、又は溶接によって、レシーバ筐体に固定されてもよい。
【０００９】
好ましい実施形態では、レシーバ筐体は、第１の略平坦な側面と平行な任意の平面で実質的に同一となる矩形断面内で伸びる。フィルタ保持体は、外径を定める円筒形状の外面を有し、レシーバ筐体の実質的に同一の断面の対角線の寸法は、フィルタ保持体の外径より小さくなっている。
【００１０】
さらに好ましい実施形態では、フィルタ保持体は、フィルタ受け口からのフィルタの取り外し方向を規定し、レシーバ／ラウドスピーカは、略平坦な側面に垂直である音出口の主方向を規定し、取り外し方向は、音出口の主方向に対して斜めに配置され、その結果、レシーバ／ラウドスピーカは、多くの異なる補聴器に組み込むことが容易となる。
【００１１】
好ましい実施形態では、取り外し方向と音の主方向との間の角度は、５°から４５°までの範囲内、好ましくは、１０°から３０°までの範囲にある。
【００１２】
本発明による補聴器は、前述のようなレシーバを備えた補聴器筐体を備える。補聴器筐体は、外面と、レシーバを収容するように構成された内部空洞とを有する。補聴器筐体は、フィルタ保持体が着脱可能に取り付けられるフィルタ受け口を有する。これにより、フィルタ保持体は、外面とレシーバ筐体との間でフィルタを通過して伸びる音通路を提供する。
【００１３】
本発明による補聴器の好ましい実施形態では、フィルタがフィルタ受け口から取り除かれたときに、通路を通じた内部空洞へのレシーバ筐体の挿入が可能となるように、フィルタ受け口とレシーバとは相対的に大きさが定められている。
【００１４】
この点において、フィルタ保持体は、ある好ましい実施形態では、接着、半田付け、又は溶接によって、レシーバ筐体に取り外せないように固定されてもよい。
【００１５】
他の実施形態では、フィルタ保持体が、圧入、摩擦嵌合、又は、放熱接着剤によって、レシーバ筐体に取り外し可能に取り付けられてもよい。
【００１６】
以下では、添付の図面に示された実施形態を参照しつつ、本発明をより詳細に説明する。留意事項として、提示された実施形態は、例示の目的だけのために用いられるべきであり、本発明の範囲を限定するために用いられるものではない。
【図面の簡単な説明】
【００１７】
【図１】本発明によるレシーバの斜視図である。
【図２】図１で示したレシーバの側面図である。
【図３】本発明による補聴器の断面を示す原理図である。
【図４】図３に示したレシーバ組立体を示す図である。
【図５】図３及び図４に示したレシーバ組立体の斜視図である。
【図６】本発明による補聴器の別の実施形態の断面を示す原理図である。
【図７】図６に示したレシーバ組立体を示す図である。
【図８】図６及び図７に示したレシーバ組立体の斜視図である。
【発明を実施するための形態】
【００１８】
図１及び図２は、本発明によるレシーバの一実施形態の斜視図と側面図とを示す。レシーバはレシーバ筐体５を備えており、レシーバ筐体５は、その側面１２に固定されたフィルタ保持体６と一体となっている。
【００１９】
図３及び図６は、本発明の異なる実施形態による補聴器の断面を示す原理図である。これらの補聴器は、両者とも、使用者の耳内に完全に配置されるように構成されたＩＴＥ（挿耳型）タイプであるが、本発明が、使用者の耳内に一部だけ配置されるような他の種類の補聴器にも適用可能であることは、当業者には明らかである。
【００２０】
図３及び図６に示した補聴器は、補聴器筐体１を有する。補聴器筐体１の一端は、フェースプレート２によって塞がれている。フェースプレート２は、通常、補聴器が使用者の耳に位置決めされたときに、補聴器の唯一の見える部分となる。これにより、補聴器筐体１とフェースプレート２とは、内部空洞８を包囲している。
【００２１】
ＩＴＥタイプの補聴器では、補聴器の機能のために必要な電子装置３、電池（図示せず）、配線４、マイクロホン（図示せず）、レシーバ５、及び、耳垢フィルタ保持体６といった全ての機能装置を、補聴器筐体１の内部空洞８によってもたらされる狭い空間に配置しなければならない。そのため、補聴器筐体１の空間を最適に利用するために、各装置を最適な場所に配置することについて、高い自由度が存在することが重要となる。
【００２２】
当業者にとって、ＩＴＥ補聴器に必要とされる機能装置や、好ましいとされる機能装置は明らかである。よって、図３及び図６では、電子装置３、配線４、耳垢フィルタ保持体６、及びレシーバ筐体５だけが図示されている。なお、図３は、フィルタ・ユニットが搭載されていないフィルタ保持体を示しており、一方、図６は、フィルタ・ユニット１１がフィルタ保持体６に搭載されたものを示している。
【００２３】
通常、補聴器筐体１は、例えば、内部空洞８から補聴器筐体１の外面９へと延びる均圧通路７をさらに備える。均圧通路７は、補聴器の外側におけるフェースプレート２と補聴器を装着する使用者の耳内の閉塞空間との間の圧力差を解消することができるように設けられる必要がある。これにより、補聴器筐体１の内部空洞８では、機能装置を位置決めする自由度がさらに制約されてしまう。
【００２４】
補聴器筐体１では、耳垢フィルタ受け口１３が、使用者の耳の内部を向く補聴器筐体の一端に配置される。フィルタ保持体６は、フィルタ受け口１３に搭載される。フィルタ保持体６とレシーバ５との間には、音通路１０が伸びている。
【００２５】
図１、図２、図３、図４、図５に示したフィルタ保持体６は、金属板を図示する形状へ深絞りすることによって製造され、その後、溶接、接着、又は半田付けによってレシーバ筐体５の平らな側面１２に固定される。図６、図７、図８に示す実施形態では、フィルタ保持体６は、代替として、例えば射出成型によってプラスチック材料によって形成され、その後、摩擦嵌合、スナップ・フィット、又は接着によって、レシーバ筐体５に取り付けられる。
【００２６】
それにより、レシーバ筐体５とフィルタ保持体６とは、レシーバ筐体５をフィルタ保持体６のみによって保持させることができるしっかりとした接続を形成する。
【００２７】
本発明の図示された実施形態によれば、フィルタ保持体６は、耳垢フィルタなどのフィルタ・ユニット１１の挿入及び取り外しのために構成されており、かつ、図４及び図７で点線Ａによって示すような取り外し方向において、フィルタ・ユニット１１が挿入又は取り外しできるように構成されている。レシーバ筐体５は平らな側面１２を有しており、その側面１２は、音出口開口を備えている。音出口開口は、図４及び図７に点線Ｂで示すように、平らな側面１２に垂直な、レシーバ筐体５からの音出口の主方向を規定する。
【００２８】
フィルタ／レシーバ組立体を補聴器筐体１に配置する最良の選択肢を提供し、それよってレシーバ筐体５が内部空洞８においてできるだけ小さい空間しか必要としないようにするために、フィルタ保持体６、音通路１０、及びレシーバ筐体５は、取り外しの方向Ａが音出口の主方向Ｂに対して斜めに配置されるように設計されている。
【００２９】
しかしながら、多くの用途においては、図１及び図２に示すレシーバの実施形態が、即ち、取り外しの主方向がレシーバ筐体５の側面１２の音出口に垂直となるようにフィルタ保持体６が配置された形態が、最もコンパクトなものになることは当業者にとって明らかである。
【００３０】
フィルタ／フィルタ保持体６は、補聴器筐体１においてフィルタ受け口１３に取り付けられている。フィルタ受け口１３は、補聴器筐体１の外側から内部空洞８への通路を提供する。本発明によれば、この経路は、通路を通じた内部空洞８へのレシーバの挿入を可能にするのに十分な大きさで形成される。
【００３１】
さらに、本発明による補聴器の開示された実施形態は、レシーバ筐体５がフィルタ保持体６に取り付けられ、フィルタ保持体６がフィルタ受け口１３に取り付けられることを示す。図に示されるように、これは、レシーバ５がフィルタ保持体６のみによって保持され、レシーバ５が補聴器筐体１のいずれの部分にも接しないという一例を提供するものである。
【００３２】
本開示は、下記の項目に基づく多くの側面を含む。
［項目１］
補聴器に設けられるように構成されたレシーバであって、音開口を有する第１の略平坦な側面を備えるレシーバ筐体と、耳垢フィルタなどのフィルタを有するフィルタ保持体とを備え、前記フィルタ保持体は、略平坦な底面と音通路とを有し、前記音通路は、前記略平坦な底面に配置された第１の開口と、前記音通路に前記フィルタ保持体の前記フィルタを着脱可能に取り付けられるように構成された第２の開口との間を伸び、前記フィルタ保持体は、前記フィルタ保持体の前記略平坦な底板が前記レシーバ筐体の前記略平坦な側面に隣接し、かつ、前記音通路が前記第１の開口と整列するように前記レシーバ筐体に固定される、レシーバ。
［項目２］
前記略平坦な底板は、前記レシーバ筐体の前記第１の略平坦な側面に固定される、項目１に記載のレシーバ。
［項目３］
前記フィルタ保持体は、接着、半田付け、又は溶接によって、前記レシーバ筐体に固定される、項目２に記載のレシーバ。
［項目４］
前記レシーバ筐体は、前記第１の略平坦な側面と平行な任意の平面で実質的に同一となる矩形断面内で伸び、前記フィルタ保持体は、前記レシーバ筐体と一致するとともに外部開口を規定する外面を備え、前記レシーバ筐体の前記実質的に同一の断面の対角線の寸法は、前記フィルタ保持体の前記外部開口より小さくなっている、項目１に記載のレシーバ。
［項目５］
前記フィルタ保持体は、フィルタ受け口からの前記フィルタの取り外し方向を規定し、前記レシーバは、前記略平坦な側面と垂直である音出口の主方向を規定し、前記取り外し方向は、前記音出口の前記主方向に対して斜めに配置される、項目１から４のいずれか一項に記載のレシーバ。
［項目６］
前記取り外し方向と音の前記主方向との間の角度が、５°から４５°までの範囲内、好ましくは、１０°から３０°までの範囲にある、項目５に記載のレシーバ。
［項目７］
項目１から６のいずれか一項に記載のレシーバを備えた補聴器筐体を備え、前記補聴器筐体は、外面と、前記レシーバを収容するように適合された内部空洞とを有し、前記補聴器筐体は、前記フィルタ保持体が着脱可能に取り付けられるフィルタ受け口を有し、前記フィルタ保持体は、前記外面と前記レシーバ筐体との間で前記フィルタを通過して伸びる音通路を提供する、補聴器。
［項目８］
前記フィルタ受け口と前記レシーバとは、前記フィルタが前記フィルタ受け口から取り除かれたときに、前記通路を通じた前記内部空洞への前記レシーバ筐体の挿入が可能となるように、相対的に大きさが定められる、項目７に記載の補聴器。
［項目９］
前記フィルタ保持体は、接着、半田付け、又は溶接によって、前記レシーバ筐体に取り外せないように固定されている、項目７又は８に記載の補聴器。
［項目１０］
前記フィルタ保持体は、圧入、摩擦嵌合、又は、放熱接着剤によって、前記レシーバ筐体に取り外し可能に取り付けられる、項目７又は８に記載の補聴器。
【図１】
2015204619.tif 000003
【図２】
2015204619.tif 000004
【図３】
2015204619.tif 000005
【図４】
2015204619.tif 000006
【図５】
2015204619.tif 000007
【図６】
2015204619.tif 000008
【図７】
2015204619.tif 000009
【図８】
2015204619.tif 000010
【外国語明細書】
2015204619000001.pdf
2015204619000002.pdf
2015204619000003.pdf
2015204619000004.pdf